(57)【要約】【課題】折畳み展開が簡単に行え、広く平らな平面を内表面がわに設けられ、芯材部分の隣設縁間に大きな隙間が生じ難く、被覆シート材を容易に安定的に確実に接着でき、外観上の体裁が良く、構成簡素で、量産に適し、低廉で、取扱い容易で、耐久性に優れ、多用途に利用可能となるボード状構造物を提供する。【解決手段】複数の芯材部分Ａ１からなるボード本体Ａと、被覆シート材Ｂとを有するボード状構造物であって、芯材部分Ａ１夫々には、外表面に於ける隣設縁の両脇部分に、隣設縁がわに行くに従って漸次その厚みが少なくなるように傾斜する傾斜面１を形成し、被覆シート材Ｂは、外表面被覆部５を備え、外表面被覆部５には、隣設する芯材部分Ａ１相互の傾斜面１夫々に密接し、傾斜面１夫々に跨って接着する傾斜面被覆部６を形成する。【選択図】        図４
2004290251.tif 000002
【特許請求の範囲】
【請求項１】
適宜複数の芯材部分で構成されるボード本体と、このボード本体の少なくとも外表面の全部或いは一部を被覆するように接着される被覆シート材とを有し、芯材部分相互の隣設縁部分の被覆シート材によって、内表面がわに折畳み自在で且つ展開自在となるよう構成したボード状構造物であって、芯材部分夫々には、その外表面に於ける隣設縁の両脇部分に、隣設縁がわに行くに従って漸次その厚みが少なくなるように傾斜する一対の傾斜面を形成し、被覆シート材は、ボード本体の外表面に接着される外表面被覆部を備え、この外表面被覆部には、隣設する芯材部分相互の一対の傾斜面に密接すると共に、一対の傾斜面に跨って接着される傾斜面被覆部を形成したことを特徴とする折畳み展開自在なボード状構造物。
【請求項２】
前記ボード本体を、適宜複数の芯材部分と、隣設する芯材部分の内表面がわに配されると共に、隣設する芯材部分相互を一体的に連設する僅かな厚みの連設部とで構成したこと特徴とする請求項１記載の折畳み展開自在なボード状構造物。
【請求項３】
隣設する芯材部分の一対の傾斜面に於いて、その隣設縁がわ端部の外表面からの鉛直深さを、芯材部分の厚みの１／２を越えるように構成したことを特徴とする請求項１または請求項２記載の折畳み展開自在なボード状構造物。
【請求項４】
適宜複数の芯材部分で構成されると共に、隣設する芯材部分相互間に隙間が生じないよう配されるボード本体と、このボード本体の少なくとも外表面の全部或いは一部を被覆するように接着される被覆シート材とを有し、芯材部分相互の隣設縁部分の被覆シート材によって内表面がわに折畳み自在で且つ展開自在となるよう構成したボード状構造物であって、芯材部分夫々には、その外表面に於ける隣設縁の両脇部分に、隣設縁がわに行くに従って漸次その厚みがなくなるように傾斜する一対の傾斜面を形成し、被覆シート材は、ボード本体の外表面に接着される外表面被覆部を備え、この外表面被覆部には、隣設する芯材部分相互の一対の傾斜面に密接すると共に、一対の傾斜面に跨って接着される断面略Ｖ字状となる傾斜面被覆部を形成したことを特徴とする折畳み展開自在なボード状構造物。
【請求項５】
適宜複数の芯材部分で構成されるボード本体と、このボード本体の少なくとも外表面の全部或いは一部を被覆するように接着される被覆シート材とからなり、隣設する芯材部分相互間には、所定の隙間を設け、芯材部分相互の隣設縁部分の被覆シート材によって内表面がわに折畳み自在に且つ展開自在となるよう構成したボード状構造物であって、芯材部分夫々には、その外表面に於ける隣設縁の両脇部分に、隣設縁がわに行くに従って漸次その厚みが少なくなるように傾斜する一対の傾斜面を形成し、被覆シート材は、ボード本体の外表面に接着される外表面被覆部を備え、この外表面被覆部には、隣設する芯材部分相互の一対の傾斜面に密接すると共に、一対の傾斜面に跨って接着される傾斜面被覆部を形成し、この傾斜面被覆部の中央部分にヒンジ部分を形成したことを特徴とする折畳み展開自在なボード状構造物。
【請求項６】
隣設する芯材部分相互間の隙間に於いて、被覆シート材の厚みをＥとし、隣設する芯材部分相互間の最小隙間をＸ１  としたとき、
【数１】
2004290251.tif 000010
の数式を満たすような最小隙間Ｘ１  を設け、隣設する芯材部分相互間の隙間を最小隙間Ｘ１  以上に構成したことを特徴とする請求項５記載の折畳み展開自在なボード状構造物。
【請求項７】
ボード本体の内表面に見返し材を接着するように形成し、隣設する芯材部分相互間の隙間に於いて、被覆シート材の厚みをＥとし、見返し材の厚みをＦとし、芯材部分の厚みをＧとし、隣設する芯材部分相互間の最大隙間をＸ２  としたとき、
【数２】
2004290251.tif 000011
の数式を満たすような最大隙間Ｘ２  を設け、隣設する芯材部分相互間の隙間を最大隙間Ｘ２  以下に構成したことを特徴とする請求項５または請求項６記載の折畳み展開自在なボード状構造物。
【請求項８】
二枚の略矩形状の芯材部分でボード本体を構成し、内表面がわに自在に二つ折りできるよう構成したことを特徴とする請求項１または請求項２または請求項３または請求項４または請求項５または請求項６または請求項７記載の折畳み展開自在なボード状構造物。
【請求項９】
二枚の略矩形状の芯材部分と、この二枚の芯材部分の間に介装される一枚の略細長矩形状の芯材部分とでボード本体を構成し、内表面がわに断面略コ字状に自在に折曲げできるよう構成したことを特徴とする請求項１または請求項２または請求項３または請求項４または請求項５または請求項６または請求項７記載の折畳み展開自在なボード状構造物。
【請求項１０】
芯材部分に適宜取付具を着脱自在に装着できるよう構成したことを特徴とする請求項１または請求項２または請求項３または請求項４または請求項５または請求項６または請求項７または請求項８または請求項９記載の折畳み展開自在なボード状構造物。
【発明の詳細な説明】
【０００１】
【発明の属する技術分野】
本発明は、例えば、各種ボート類（例えば、ボードゲーム用のボード等）や、各種パネル類（例えば、地図用パネル等）や、各種ファイル類の表紙や、ケース、カバン類の一部構成部分や、或いは、ノート型パソコンや、携帯電話や、その他携帯型機器等の一部構成部分として多用途に利用できる折畳み展開自在なボード状構造物に関するものである。
【０００２】
【従来の技術】
従来、例えば、ボードゲーム用のボード等にあっては、特許文献１に示すような折畳み可能な盤（将棋盤）が開示されており、これは鉄板を外装した２つの分割将棋盤を蝶番で折畳み可能に連結したものである。
また、例えば、ファイル類の表紙（外装板）等にあっては、比較的短い間隔で平行に配される二条の折曲げ筋を内表面がわに設けると共に、この二条の折曲げ筋の中央に配されるような一条の折曲げ筋を外表面がわに設けることによって折畳み展開できるように形成したものが提供されている。
更に、特許文献２には、例えば、包装用容器に於いて隣設する枠体（枠板）相互を化粧シートをヒンジとして折曲げ自在に連結する手段が開示されている。
【０００３】
【特許文献１】
実用新案登録第３０４４１６８号（図３）
【特許文献２】
実公平４−２１４６５（図５）
【０００４】
【発明が解決しようとする課題】
ところが、前述の如き折畳み可能な盤（将棋盤）にあっては、２つの分割将棋盤の間に大きな隙間ができ易いと共に、外観上の体裁が悪い難点等があった。
また、前述の如きファイル類の表紙（外装板）等にあっては、二条の折曲げ筋で挟まれた部分が、例えば、表紙の内表面がわに比較的大きく突出するようになる難点があった。すなわち、展開状態や折畳み（折曲げ）状態のときに、内表面がわに突出し、外観上の体裁が悪いと共に、手触りも悪くなり、ひいては、重ねた状態で保管する際に、この突出部分が邪魔となって、全体が嵩張ってしまう等の難点や、断面略コ字状に折曲げたときに内表面隅部が綺麗な直角コーナー部分とならない難点等もあった。
更に、前述の如き隣設する枠体（枠板）相互を化粧シートをヒンジとして折曲げ自在に連結する手段にあっては、隣設する枠体（枠板）の内表面がわに傾斜接合面を夫々設け、隣設する枠体（枠板）の外表面がわに化粧シートを接着して、隣設する枠体（枠板）相互を折曲げ自在に連結しているため、内表面がわを広く平らな面とすることができない難点等があった。
【０００５】
【課題を解決するための手段】
そこで、本発明は、前述の如き難点等を解消し、折畳み展開が簡単に行え、展開状態にあっては、大きな突出部分や凹部等が生じることなく、広く平らな平面を内表面がわに設けることができ、ボード本体Ａに被覆シート材Ｂをより容易に、安定的に、且つ確実に接着できるようにすると共に、外観上の体裁が良くなるように接着でき、加えて、芯材部分Ａ１の隣設縁部分に於ける被覆シート材Ｂが、展開状態や折畳み状態の時に無理な折曲げ状態とならず、損傷し難く、耐久性が向上し、長期使用に適したものとなり、しかも、構成が簡素で、量産に適し、低廉で、取扱いが容易で、手触りも良く、重ねた状態で保管する際に全体が嵩張ってしまうようなこともなく、断面略コ字状に折曲げたときに内表面隅部が綺麗な直角コーナー部分となり、全体的な耐久性にも優れ、多用途に利用可能となる折畳み展開自在なボード状構造物を提供できるようにすべく創出されたものである。
【０００６】
しかして、請求項１記載の折畳み展開自在なボード状構造物にあっては、適宜複数の芯材部分Ａ１で構成されるボード本体Ａと、このボード本体Ａの少なくとも外表面の全部或いは一部を被覆するように接着される被覆シート材Ｂとを有し、芯材部分Ａ１相互の隣設縁部分の被覆シート材Ｂによって、内表面がわに折畳み自在で且つ展開自在となるよう構成したボード状構造物であって、芯材部分Ａ１夫々には、その外表面に於ける隣設縁の両脇部分に、隣設縁がわに行くに従って漸次その厚みが少なくなるように傾斜する一対の傾斜面１を形成し、被覆シート材Ｂは、ボード本体Ａの外表面に接着される外表面被覆部５を備え、この外表面被覆部５には、隣設する芯材部分Ａ１相互の一対の傾斜面１に密接すると共に、一対の傾斜面１に跨って接着される傾斜面被覆部６を形成する手段を採用した。
【０００７】
また、請求項２記載の折畳み展開自在なボード状構造物にあっては、前記ボード本体Ａを、適宜複数の芯材部分Ａ１と、隣設する芯材部分Ａ１の内表面がわに配されると共に、隣設する芯材部分Ａ１相互を一体的に連設する僅かな厚みの連設部２とで構成する手段を採用した。
【０００８】
更に、請求項３記載の折畳み展開自在なボード状構造物にあっては、隣設する芯材部分Ａ１の一対の傾斜面１に於いて、その隣設縁がわ端部の外表面からの鉛直深さを、芯材部分Ａ１の厚みの１／２を越えるように構成する手段を採用した。
【０００９】
そして、請求項４記載の折畳み展開自在なボード状構造物にあっては、適宜複数の芯材部分Ａ１で構成されると共に、隣設する芯材部分Ａ１相互間に隙間が生じないよう配されるボード本体Ａと、このボード本体Ａの少なくとも外表面の全部或いは一部を被覆するように接着される被覆シート材Ｂとを有し、芯材部分Ａ１相互の隣設縁部分の被覆シート材Ｂによって内表面がわに折畳み自在で且つ展開自在となるよう構成したボード状構造物であって、芯材部分Ａ１夫々には、その外表面に於ける隣設縁の両脇部分に、隣設縁がわに行くに従って漸次その厚みがなくなるように傾斜する一対の傾斜面１を形成し、被覆シート材Ｂは、ボード本体Ａの外表面に接着される外表面被覆部５を備え、この外表面被覆部５には、隣設する芯材部分Ａ１相互の一対の傾斜面１に密接すると共に、一対の傾斜面１に跨って接着される断面略Ｖ字状となる傾斜面被覆部６を形成する手段を採用した。
【００１０】
それから、請求項５記載の折畳み展開自在なボード状構造物にあっては、適宜複数の芯材部分Ａ１で構成されるボード本体Ａと、このボード本体Ａの少なくとも外表面の全部或いは一部を被覆するように接着される被覆シート材Ｂとからなり、隣設する芯材部分Ａ１相互間には、所定の隙間を設け、芯材部分Ａ１相互の隣設縁部分の被覆シート材Ｂによって内表面がわに折畳み自在に且つ展開自在となるよう構成したボード状構造物であって、芯材部分Ａ１夫々には、その外表面に於ける隣設縁の両脇部分に、隣設縁がわに行くに従って漸次その厚みが少なくなるように傾斜する一対の傾斜面１を形成し、被覆シート材Ｂは、ボード本体Ａの外表面に接着される外表面被覆部５を備え、この外表面被覆部５には、隣設する芯材部分Ａ１相互の一対の傾斜面１に密接すると共に、一対の傾斜面１に跨って接着される傾斜面被覆部６を形成し、この傾斜面被覆部６の中央部分にヒンジ部分６ａを形成する手段を採用した。
【００１１】
加えて、請求項６記載の折畳み展開自在なボード状構造物にあっては、隣設する芯材部分Ａ１相互間の隙間に於いて、被覆シート材Ｂの厚みをＥとし、隣設する芯材部分Ａ１相互間の最小隙間をＸ１  としたとき、
【数３】
2004290251.tif 000003
の数式を満たすような最小隙間Ｘ１  を設け、隣設する芯材部分Ａ１相互間の隙間を最小隙間Ｘ１  以上に構成する手段を採用した。
【００１２】
また、請求項７記載の折畳み展開自在なボード状構造物にあっては、ボード本体Ａの内表面に見返し材１０を接着するように形成し、隣設する芯材部分Ａ１相互間の隙間に於いて、被覆シート材Ｂの厚みをＥとし、見返し材１０の厚みをＦとし、芯材部分Ａ１の厚みをＧとし、隣設する芯材部分Ａ１相互間の最大隙間をＸ２  としたとき、
【数４】
2004290251.tif 000004
の数式を満たすような最大隙間Ｘ２  を設け、隣設する芯材部分Ａ１相互間の隙間を最大隙間Ｘ２  以下に構成する手段を採用した。
【００１３】
更に、請求項８記載の折畳み展開自在なボード状構造物にあっては、二枚の略矩形状の芯材部分Ａ１でボード本体Ａを構成し、内表面がわに自在に二つ折りできるよう構成する手段を採用した。
【００１４】
そして、請求項９記載の折畳み展開自在なボード状構造物にあっては、二枚の略矩形状の芯材部分Ａ１と、この二枚の芯材部分Ａ１の間に介装される一枚の略細長矩形状の芯材部分Ａ１とでボード本体Ａを構成し、内表面がわに断面略コ字状に自在に折曲げできるよう構成する手段を採用した。
【００１５】
それから、請求項１０記載の折畳み展開自在なボード状構造物にあっては、芯材部分Ａ１に適宜取付具を着脱自在に装着できるよう構成する手段を採用した。
【００１６】
【発明の実施の形態】
以下、本発明を図示例に基づいて説明すると、次の通りである。
本発明の折畳み展開自在なボード状構造物は、各種ボート類（例えば、ボードゲーム用のボード、ジグソーパズル用のボード、広告展示用のボード、画板、マウスパッド、その他）や、各種パネル類（例えば、地図用パネル、写真用パネル、その他）や、各種ファイル類の表紙（外装板）や、ケース、カバン類の一部構成部分や、或いは、ノート型パソコンや、携帯電話や、その他携帯型機器等の一部構成部分として各種分野で利用できるものである。
【００１７】
そして、このボード状構造物は、例えば、適宜複数の矩形板状の芯材部分Ａ１によって構成されると共に、隣設する芯材部分Ａ１相互間に所定の隙間が設けられるように（或いは、隙間が生じないように）複数の芯材部分Ａ１が配されているボード本体Ａと、このボード本体Ａの少なくとも外表面の全部或いは一部（または、外表面及び側周面の全部或いは一部、または、外表面及び側周面及び内表面の一部でも良い）を被覆するように適宜接着剤で接着される一枚（或いは、複数枚）の被覆シート材Ｂとを有するものである。
すなわち、芯材部分Ａ１相互の隣設縁部分にある外表面がわの被覆シート材Ｂがヒンジとなることにより、内表面がわに折畳み自在で且つ展開自在となるように構成されている。
尚、このボード状構造物は、その折畳み状態に於いて必ずしも複数の芯材部分Ａ１が重なり合わなくても良い（すなわち、折畳み状態に於いて隣設する芯材部分Ａ１が成す折畳み角度が略０〜１８０度の間であれば良い。）。
しかも、前記ボード本体Ａは、適宜複数の芯材部分Ａ１が夫々分離したものであっても良いし、或いは、後述する連設部２を介して適宜複数の芯材部分Ａ１相互を一体的に連設したものであっても良い（図１９参照）。
【００１８】
また、芯材部分Ａ１夫々には、その外表面に於ける隣設縁の両脇部分に、隣設縁がわに行くに従って漸次その厚みが少なくなるように（或いは、なくなるように）傾斜する一対の傾斜面１を形成してある。すなわち、ボード本体Ａの外表面がわに於いて、複数の芯材部分Ａ１の隣設縁部分には、断面略Ｖ字状の溝が形成されている。
ところで、芯材部分Ａ１の隣設縁部分を、外表面に設けた傾斜面１と内表面部分とで、その先端が先鋭となるような断面略三角状に形成してあっても良いし、或いは、その先鋭な先端部分を僅かに切り落したように形成したものであっても良いし、その他、適宜自由に設定、変更できる。
ただし、隣設する芯材部分Ａ１の一対の傾斜面１に於いて、隣設縁がわ端部の外表面からの鉛直深さ（芯材部分Ａ１の厚み方向に於ける長さ）が、芯材部分Ａ１の厚みの１／２を越えるように構成される。すなわち、隣設する芯材部分Ａ１の隣設縁間に大きな隙間が生ぜず、ボード本体Ａに被覆シート材Ｂを容易に、安定的に、且つ確実に接着でき、この部分の被覆シート材Ｂが、展開状態や折畳み状態の時に無理な折曲げ状態（例えば、二つ折り状態）とならないように構成されている。
【００１９】
しかも、傾斜面１は、例えば、図３、図４のような直線的な平面であっても良いし、例えば、図１８のような厚み方向で湾曲するような湾曲凸面（或いは、湾曲凹面）でも良いし、その他、適宜構成の面が採用可能なものである。
尚、傾斜面１を、図１８のような厚み方向で湾曲するような湾曲凸面とし、更に、折畳み状態に於いて隣設する芯材部分Ａ１が成す折畳み角度が略９０度の時に、隣設する芯材部分Ａ１の湾曲凸面夫々が一つの連続するような湾曲面となるように形成して、この部分の手触りや、外観上の体裁が良くなるようにしても良い。
加えて、芯材部分Ａ１の隣設縁部分の内表面にあっては、図示例のような直線的な平面であっても良いし、厚み方向で湾曲するような湾曲面や、傾斜面や、その他、適宜構成の面が採用可能である。
【００２０】
更に、前記被覆シート材Ｂは、例えば、ボード本体Ａの外表面に接着される外表面被覆部５と、この外表面被覆部５の外周縁に折目線を介して連設されると共に、ボード本体Ａの側周面に接着される側周面被覆部７と、この側周面被覆部７の外周縁に折目線を介して連設されると共に、ボード本体Ａの内表面の一部に接着される内表面被覆部８とを備え、前記外表面被覆部５には、隣設する芯材部分Ａ１相互の一対の傾斜面１に密接すると共に、一対の傾斜面１に跨って接着される傾斜面被覆部６を形成してある。
すなわち、内表面がわへの折畳みや展開が簡単に且つ無理なく行え、展開状態にあっては、広く平らな平面を内表面がわに設けることができ、しかも、隣設する芯材部分Ａ１の隣設縁間に大きな隙間が生じ難く、ボード本体Ａに被覆シート材Ｂをより安定的に且つ確実に接着できるように構成されている。
特に、傾斜面被覆部６を一対の傾斜面１に跨って接着する場合、一対の傾斜面１が外表面がわに行くに従って大きく開くような断面略Ｖ字状となっているため、この部分に傾斜面被覆部６を確実に接着し易いものとなる。
また、外表面被覆部５と側周面被覆部７と内表面被覆部８とを備えた被覆シート材Ｂは、ボード本体Ａに接着されることにより、ボード状構造物全体の外観上の体裁を良好とし、ボード状構造物全体の強度、耐久性を向上せしめられるようになる。
ところで、被覆シート材Ｂのボード本体Ａへの接着は、被覆シート材Ｂの全面をボード本体Ａに接着しても良いし、被覆シート材Ｂの一部（例えば、外表面被覆部５に於いて、芯材部分Ａ１外表面の周縁部分に対応する部分）をボード本体Ａに接着するようにしても良い。
【００２１】
前記ボード本体Ａは、例えば、チップボール（厚紙）や段ボールやその他の適宜紙材や、ベニヤ板やその他の適宜木材や、スチレンボードや、適宜合成樹脂材や、これらの適宜複合材や、その他の適宜材料等によって構成される。
【００２２】
しかも、ボード本体Ａは、その用途に応じて適宜形状に形成できるもので、例えば、ボードゲーム等のボードとして利用する場合は、二枚の略矩形板状の芯材部分Ａ１でボード本体Ａを構成し、内表面がわに自在に二つ折りできるよう構成される。
【００２３】
また、適宜ファイルの表紙（外装板）や、ボードゲーム等のボードとして利用する場合は、二枚の略矩形板状の芯材部分Ａ１と、この二枚の芯材部分Ａ１の間に介装される一枚の略細長矩形板状の芯材部分Ａ１とでボード本体Ａを構成し、内表面がわに断面略コ字状に自在に折曲げできるよう構成される。
【００２４】
尚、ボード本体Ａに於ける芯材部分Ａ１の数や、芯材部分Ａ１自身の寸法、形状等は自由に設定、変更でき、例えば、かなり細長な矩形状の芯材部分Ａ１を複数並設するようにして、ボード本体Ａ全体が略湾曲状（或いは、ロール状）となるように構成することもできる。
【００２５】
更に、前記ボード本体Ａは、芯材部分Ａ１夫々が分離したものであっても良いし、図１９に示すように、適宜複数の芯材部分Ａ１と、隣設する芯材部分Ａ１相互を連設する連設部２とで一体的に構成し、この連設部２を、隣設する芯材部分Ａ１の内表面がわに配すると共に、可撓性を備えた僅かな厚みに形成したものであっても良い。
すなわち、ボード状構造物を折畳み展開する時に、前記連設部２と、芯材部分Ａ１相互の隣設縁部分にある外表面がわの被覆シート材Ｂとがヒンジ部分となり、この部分の耐久性がより増すように構成することもできる。
尚、前記連設部２を設ける手段としては、一枚のボード本体Ａの外表面の所望位置に、断面略Ｖ字状の溝を切設して設ける手段や、一枚のボード本体Ａの外表面の所望位置に、断面略Ｖ字状の溝をプレス等で圧縮して設ける手段や、その他、適宜手段を採用することができる。しかも、連設部２は、連続したものであっても良いし、不連続に形成したものであっても良い。
【００２６】
加えて、前記ボード本体Ａにあっては、その内表面に適宜見返し材１０を接着して、外観上の体裁がより良くなるようにすることもできる。
【００２７】
また、隣設する芯材部分Ａ１相互間に所定の隙間を設ける場合、例えば、図５に示すように、隣設する芯材部分Ａ１の外表面に被覆シート材Ｂを接着し、この隣設する芯材部分Ａ１の折畳み角度を最大９０度とするときにあっては、隣設する芯材部分Ａ１相互間の最小隙間をＸ１  とし、被覆シート材Ｂの厚みをＥとすると、次のような数式によって最小隙間Ｘ１  が設けられる。
【００２８】
【数５】
2004290251.tif 000005
【００２９】
更に、図６に示すように、隣設する芯材部分Ａ１の外表面に被覆シート材Ｂを接着し、芯材部分Ａ１の内表面の内表面被覆部８の上に見返し材１０を接着し、この隣設する芯材部分Ａ１の折畳み角度を最大０度とするとき（二つ折り状態）にあっては、隣設する芯材部分Ａ１相互間の最小限の隙間をＸ３  とし、被覆シート材Ｂの厚みをＥとし、見返し材１０の厚みをＦとすると、次のような数式によって最小限の隙間Ｘ３  が設けられる。
【００３０】
【数６】
2004290251.tif 000006
【００３１】
そして、図７に示すように、隣設する芯材部分Ａ１の外表面に被覆シート材Ｂを接着し、芯材部分Ａ１の内表面の内表面被覆部８の上に見返し材１０を接着し、この隣設する芯材部分Ａ１の折畳み角度を最大０度とするとき（二つ折り状態）にあっては、隣設する芯材部分Ａ１相互間の最大隙間をＸ２  とし、被覆シート材Ｂの厚みをＥとし、見返し材１０の厚みをＦとし、芯材部分Ａ１の厚みをＧとすると、次のような数式によって最大隙間Ｘ２  が設けられる。
【００３２】
【数７】
2004290251.tif 000007
【００３３】
すなわち、これらの隙間部分は、芯材部分Ａ１の隣設縁部分に於ける被覆シート材Ｂが、適宜折畳み状態の時に（例えば、図４の（ロ）、図１８の（ロ）等の時）、隙間部分の被覆シート材Ｂに無理なストレスが生じ難くなるように配慮されたものであると共に、これらの隙間部分が無駄に大きくなって、例えば、隙間部分の被覆シート材Ｂが大きく変形し易くなったり、隙間部分の被覆シート材Ｂの変形により、ボード本体Ａ内表面がわに大きな凸部や凹部が現れて、広く平らな平面を内表面がわに設けることができなくなったりすることがないように配慮されたものである。
【００３４】
前記被覆シート材Ｂは、例えば、一枚のシート状を呈し、ある程度の可撓性や、強度や、耐久性等を備えた適宜紙材や、適宜布材や、適宜合成樹脂材や、これらの適宜複合材や、その他の適宜材料等によって構成されるものである。
しかも、被覆シート材Ｂの外表面には、適宜装飾や、その用途に応じた印刷等が施されるようになり、外観上の体裁が良好となるように配慮される。
【００３５】
更に、被覆シート材Ｂは、少なくともボード本体Ａの外表面の全部或いは一部（隣設する芯材部分Ａ１の隙間部分を含むような部分）を覆うように接着される外表面被覆部５を有するものであれば良い。また、ボード本体Ａの外表面の全部を覆うように接着される外表面被覆部５と、ボード本体Ａの側周面の全部或いは一部を覆うように接着される（或いは、接着せずに被覆するだけでも良い）側周面被覆部７とを有するものや、ボード本体Ａの外表面の全部を覆うように接着される外表面被覆部５と、ボード本体Ａの側周面の全部を覆うように接着される（或いは、接着せずに被覆するだけでも良い）側周面被覆部７と、ボード本体Ａの内表面の側周面寄り部分を覆うように接着される内表面被覆部８とを有するものでも良い。しかも、これらは、夫々折目線を介して一体的に連設してある。
そして、前記外表面被覆部５には、傾斜面１に合致するように形成された傾斜面被覆部６が設けてある。
尚、図中６ａは、隣設する芯材部分Ａ１に隙間部分を設けた場合に、その隙間部分に配されるヒンジ部分で、このヒンジ部分６ａは、傾斜面被覆部６の中央部分に配されている。また、このヒンジ部分６ａは、ボード本体Ａが展開状態の時に、例えば、平面状になっていても良いし、断面略Ｖ字状となっていても良い。また、前記被覆シート材Ｂは、その外表面被覆部５が、ボード本体Ａの外表面の一部を覆うように接着される場合、複数の被覆シート材Ｂによって隣設する芯材部分Ａ１の隙間部分に跨るように接着しても良い。その時、複数の被覆シート材Ｂは、隣設する芯材部分Ａ１の隙間部分に沿うように設けても良いし、隣設する芯材部分Ａ１の隙間部分に対して直交する方向に沿うように設けても良いし、その他適宜自由に設定できるものである。
【００３６】
ところで、図示例では、外表面被覆部５は矩形状に形成され、傾斜面被覆部６はかなり細長な矩形状に形成され、側周面被覆部７はかなり細長な矩形状に形成され、内表面被覆部８は、適宜端部処理された細長な矩形状に形成されている。尚、側周面被覆部７は、傾斜面被覆部６部分には設けないようにしてある。
また、被覆シート材Ｂに設けられる折目線は、被覆シート材Ｂを形成する際（所望形状にカットする際）に同時に設けたものであっても良いし、或いは、被覆シート材Ｂを形成した（所望形状にカットした）後、これをボード本体Ａに接着する際に設けたものであっても良い。
【００３７】
前記内表面被覆部８の端部処理としては、例えば、図８に示すように、直角に隣設する内表面被覆部８の端部を夫々略４５度の切断角度にカットして、隣設する内表面被覆部８相互が重ならない状態でボード本体Ａ内表面に接着されるように形成したり、図９に示すように、直角に隣設する内表面被覆部８の端部に於いて、一方の内表面被覆部８の切断角度と他方の内表面被覆部８の切断角度との合計が９０度となるようにカットして、隣設する内表面被覆部８相互が重ならない状態でボード本体Ａ内表面に接着されるように形成したり、図１０に示すように、直角に隣設する内表面被覆部８の端部に於いて、一方の内表面被覆部８の切断角度と他方の内表面被覆部８の切断角度との合計が９０度を越えるようにカットして、隣設する内表面被覆部８相互の一部が略三角状に重なる状態でボード本体Ａ内表面に接着されるように形成したり、図１１に示すように、直角に隣設する内表面被覆部８の端部を夫々略４５度の切断角度にカットすると共に、一方の内表面被覆部８に係止凸部を突設し、他方の内表面被覆部８に前記係止凸部に合致する係止凹部を凹設して、隣設する内表面被覆部８相互が重ならず、しかも、隣設する内表面被覆部８相互が係止状態でボード本体Ａ内表面に接着されるように形成したり、図１２に示すように、直角に隣設する内表面被覆部８の端部に於いて、一方の内表面被覆部８の端部を湾曲凸部とし、他方の内表面被覆部８の端部を前記湾曲凸部に合致する湾曲凹部として、隣設する内表面被覆部８相互が重ならない状態でボード本体Ａ内表面に接着されるように形成したり、図１３に示すように、直角に隣設する内表面被覆部８の端部に於いて、一方の内表面被覆部８の端部に略三角形状（或いは、略台形状）の突片を連設し、他方の内表面被覆部８の端部に前記突片に対応する切欠部を設けて、隣設する内表面被覆部８相互が重ならない状態でボード本体Ａ内表面に接着されるように形成したり、図１４に示すように、直角に隣設する内表面被覆部８の端部に於いて、一方の内表面被覆部８の端部に略四角形状の突片を連設し、他方の内表面被覆部８の端部に前記突片に対応する切欠部を設けて、隣設する内表面被覆部８相互が重ならない状態でボード本体Ａ内表面に接着されるように形成したり、図１５に示すように、直角に隣設する内表面被覆部８の端部に於いて、夫々略４５度の切断角度にカットすると共に、一方の内表面被覆部８に略細長平行四辺形状の重合片を延設し、隣設する内表面被覆部８相互の一部が略細長平行四辺形状に重なる状態でボード本体Ａ内表面に接着されるように形成したり、その他適宜端部処理が可能である。
【００３８】
また、折畳み展開部分（傾斜面被覆部６部分）に於ける内表面被覆部８にあっては、図１６や、図１７に示すように、ボード本体Ａの傾斜面１に傾斜面被覆部６が接着される時に、この部分で隣設する内表面被覆部８相互が接近するため、その接近分を見越してその端部相互に隙間が設けられるように形成されている。
【００３９】
尚、ボード状構造物の具体的構成、形状、寸法、材質、ボード本体Ａの具体的構成、形状、寸法、材質、芯材部分Ａ１の具体的構成、形状、寸法、材質、数、配設状態、傾斜面１の具体的形状、寸法、傾斜角度、連設部２の具体的構成、形状、寸法、数、配設位置、被覆シート材Ｂの具体的構成、形状、寸法、材質、数、配設位置、外表面被覆部５の具体的構成、形状、寸法、材質、数、配設位置、傾斜面被覆部６の具体的構成、形状、寸法、材質、数、配設位置、ヒンジ部分６ａの具体的構成、形状、寸法、数、配設位置、側周面被覆部７の具体的構成、形状、寸法、材質、内表面被覆部８の具体的構成、形状、寸法、材質、見返し材１０の具体的構成、形状、寸法、材質、ボード本体Ａと被覆シート材Ｂの具体的接着手段等は、図示例のもの等に限定されることなく、適宜自由に設定、変更できるものである。
【００４０】
本発明の折畳み展開自在なボード状構造物は、前述の如く構成されており、次にその使用例について説明すると、例えば、ボードゲーム用のボードとして使用する場合には、二枚の略矩形状の芯材部分Ａ１で略矩形状のボード本体Ａを構成し、このボード本体Ａの外表面、側周面、及び内表面の一部に被覆シート材Ｂを接着し、一つの隣設縁部分を介して内表面がわに自在に二つ折りできるように構成されたものが利用される。すなわち、展開した時に隣設縁部分に大きな隙間が生ぜず、広く平らな平面となるボード状構造物の内表面に（例えば、ボード本体Ａの内表面に、或いは、ボード本体Ａの内表面に接着した見返し材１０の表面に）、ボードゲームに関連する表示が施され、この内表面を使用してゲームを楽しむようになる。
【００４１】
また、ボードゲーム用のボードとして使用する場合や、ファイル類の表紙（外装板）として使用する場合や、これら両方で使用する場合には、例えば、図２に示すように、二枚の略矩形状の芯材部分Ａ１と、この二枚の芯材部分Ａ１の間に介装される一枚の略細長矩形状の芯材部分Ａ１とでボード本体Ａを構成し、このボード本体Ａの外表面、側周面、及び内表面の一部に被覆シート材Ｂを接着し、被覆シート材Ｂの二つの隣設縁部分を介して内表面がわに断面略コ字状に折曲げ自在となるよう構成されたものが利用される。
しかも、ボードゲーム用のボードとして使用する場合は、展開した時に隣設縁部分に大きな隙間が生ぜず、広く平らな平面となるボード状構造物の内表面に、ボードゲームに関連する表示が施され、この内表面を使用してゲームを楽しむようになる。
一方、ファイル類の表紙（外装板）として使用する場合は、例えば、綴じ具やその他の適宜取付具を芯材部分Ａ１に着脱自在に装着できるよう構成される。
しかも、この綴じ具やその他の適宜取付具を芯材部分Ａ１の内表面の適宜位置に着脱自在となるよう装着しておき、例えば、ボードゲームに必要となる関連物品（例えば、ゲーム用駒体、ゲーム用サイコロ、その他）を、袋体や、ケースや、箱状体等に収納できるようにし、更に、この袋体や、ケースや、箱状体等を適宜取付具に取付けできるように構成することにより、ボードゲームに必要となる一式の関連物品を、ゲームボードと共にファイルで纏めるようにしてコンパクトに保管しておくもできるようになる。尚、ゲームを楽しむ場合は、ボード状構造物から適宜取付具を取外して使用されることとなる。
【００４２】
ところで、本発明のボード状構造物には、その外周部分を囲繞するようなボード固定枠や、ボード固定具や、コード類や、文房具類等を着脱自在に装着できるように構成することもできる。また、これらの具体的着脱手段は、適宜自由に設定、変更できる。
【００４３】
【発明の効果】
従って、請求項１記載の折畳み展開自在なボード状構造物は、適宜複数の芯材部分Ａ１で構成されるボード本体Ａと、このボード本体Ａの少なくとも外表面の全部或いは一部を被覆するように接着される被覆シート材Ｂとを有し、芯材部分Ａ１相互の隣設縁部分の被覆シート材Ｂによって、内表面がわに折畳み自在で且つ展開自在となるよう構成したボード状構造物であって、芯材部分Ａ１夫々には、その外表面に於ける隣設縁の両脇部分に、隣設縁がわに行くに従って漸次その厚みが少なくなるように傾斜する一対の傾斜面１を形成し、被覆シート材Ｂは、ボード本体Ａの外表面に接着される外表面被覆部５を備え、この外表面被覆部５には、隣設する芯材部分Ａ１相互の一対の傾斜面１に密接すると共に、一対の傾斜面１に跨って接着される傾斜面被覆部６を形成したので、折畳み展開が簡単に行え、展開状態にあっては、広く平らな平面を内表面がわに設けることができるようになる。しかも、構成が簡素で、量産に適し、低廉で、取扱いが容易で、耐久性に優れ、多用途に利用可能となる折畳み展開自在なボード状構造物となる。加えて、展開状態にあっては、大きな突出部分や凹部等が生じることがなく、広く平らな平面を内表面がわに設けられるようになり、手触りも良く、重ねた状態で保管する際に全体が嵩張ってしまうようなこともなく、ボード状構造物を小さく折畳め、その収納、保管、運搬等が容易となる。尚、折畳み状態（例えば、断面略コ字状に折曲げた状態のとき）にあっては、内表面隅部を綺麗な直角コーナー部分とすることができるようになる。
【００４４】
特に、芯材部分Ａ１夫々には、その外表面に於ける隣設縁の両脇部分に、隣設縁がわに行くに従って漸次その厚みが少なくなるように傾斜する一対の傾斜面１を形成し、外表面被覆部５には、隣設する芯材部分Ａ１相互の一対の傾斜面１に密接すると共に、一対の傾斜面１に跨って接着される傾斜面被覆部６を形成したので、隣設する芯材部分Ａ１の隣設縁間に大きな隙間が生じ難く、ボード本体Ａに被覆シート材Ｂをより容易に、安定的に、且つ確実に接着できるようになる。加えて、芯材部分Ａ１の隣設縁部分に於ける被覆シート材Ｂが、展開状態や折畳み状態の時に無理な折曲げ状態（例えば、二つ折り状態）とならず、損傷し難く、耐久性が向上し、長期使用に適したものとなる。
【００４５】
更に、被覆シート材Ｂは、ボード本体Ａの外表面に接着される外表面被覆部５を備えているので、被覆シート材Ｂによってボード状構造物の外表面がわの外観上の体裁が良くなる。
【００４６】
また、請求項２記載の折畳み展開自在なボード状構造物は、前記ボード本体Ａを、適宜複数の芯材部分Ａ１と、隣設する芯材部分Ａ１の内表面がわに配されると共に、隣設する芯材部分Ａ１相互を一体的に連設する僅かな厚みの連設部２とで構成したので、ボード状構造物を折畳み展開する時に、前記連設部２と、芯材部分Ａ１相互の隣設縁部分にある外表面がわの被覆シート材Ｂとがヒンジ部分となり、この部分の耐久性がより増すようになる。
【００４７】
更に、請求項３記載の折畳み展開自在なボード状構造物は、隣設する芯材部分Ａ１の一対の傾斜面１に於いて、その隣設縁がわ端部の外表面からの鉛直深さを、芯材部分Ａ１の厚みの１／２を越えるように構成したので、隣設する芯材部分Ａ１の隣設縁間に大きな隙間が生じ難く、ボード本体Ａに被覆シート材Ｂを容易に、安定的に、且つ確実に接着できるようになる。
加えて、芯材部分Ａ１の隣設縁部分に於ける被覆シート材Ｂが、展開状態や折畳み状態の時に無理な折曲げ状態（例えば、二つ折り状態）とならず、損傷し難く、耐久性が向上し、長期使用に適したものとなる。
【００４８】
そして、請求項４記載の折畳み展開自在なボード状構造物は、適宜複数の芯材部分Ａ１で構成されると共に、隣設する芯材部分Ａ１相互間に隙間が生じないよう配されるボード本体Ａと、このボード本体Ａの少なくとも外表面の全部或いは一部を被覆するように接着される被覆シート材Ｂとを有し、芯材部分Ａ１相互の隣設縁部分の被覆シート材Ｂによって内表面がわに折畳み自在で且つ展開自在となるよう構成したボード状構造物であって、芯材部分Ａ１夫々には、その外表面に於ける隣設縁の両脇部分に、隣設縁がわに行くに従って漸次その厚みがなくなるように傾斜する一対の傾斜面１を形成し、被覆シート材Ｂは、ボード本体Ａの外表面に接着される外表面被覆部５を備え、この外表面被覆部５には、隣設する芯材部分Ａ１相互の一対の傾斜面１に密接すると共に、一対の傾斜面１に跨って接着される断面略Ｖ字状となる傾斜面被覆部６を形成したので、折畳み展開が簡単に行え、展開状態にあっては、広く平らな平面を内表面がわに設けることができるようになる。しかも、構成が簡素で、量産に適し、低廉で、取扱いが容易で、耐久性に優れ、多用途に利用可能となる折畳み展開自在なボード状構造物となる。
加えて、展開状態にあっては、大きな突出部分や凹部等が生じることがなく、広く平らな平面を内表面がわに設けられるようになり、手触りも良く、重ねた状態で保管する際に全体が嵩張ってしまうようなこともなく、ボード状構造物を小さく折畳め、その収納、保管、運搬等が容易となる。尚、折畳み状態（例えば、断面略コ字状に折曲げたとき）にあっては、内表面隅部を綺麗な直角コーナー部分とすることができるようになる。
【００４９】
特に、芯材部分Ａ１夫々には、その外表面に於ける隣設縁の両脇部分に、隣設縁がわに行くに従って漸次その厚みがなくなるように傾斜する一対の傾斜面１を形成し、外表面被覆部５には、隣設する芯材部分Ａ１相互の一対の傾斜面１に密接すると共に、一対の傾斜面１に跨って接着される断面略Ｖ字状となる傾斜面被覆部６を形成したので、隣設する芯材部分Ａ１の隣設縁間に隙間が生じ難く、ボード本体Ａに被覆シート材Ｂをより容易に、安定的に、且つ確実に接着できるようになる。
加えて、芯材部分Ａ１の隣設縁部分に於ける被覆シート材Ｂが、展開状態や折畳み状態の時に無理な折曲げ状態（例えば、二つ折り状態）とならず、損傷し難く、耐久性が向上し、長期使用に適したものとなる。
【００５０】
更に、被覆シート材Ｂは、ボード本体Ａの外表面に接着される外表面被覆部５を備えているので、被覆シート材Ｂによってボード状構造物の外表面がわの外観上の体裁が良くなる。
【００５１】
それから、請求項５記載の折畳み展開自在なボード状構造物は、適宜複数の芯材部分Ａ１で構成されるボード本体Ａと、このボード本体Ａの少なくとも外表面の全部或いは一部を被覆するように接着される被覆シート材Ｂとからなり、隣設する芯材部分Ａ１相互間には、所定の隙間を設け、芯材部分Ａ１相互の隣設縁部分の被覆シート材Ｂによって内表面がわに折畳み自在に且つ展開自在となるよう構成したボード状構造物であって、芯材部分Ａ１夫々には、その外表面に於ける隣設縁の両脇部分に、隣設縁がわに行くに従って漸次その厚みが少なくなるように傾斜する一対の傾斜面１を形成し、被覆シート材Ｂは、ボード本体Ａの外表面に接着される外表面被覆部５を備え、この外表面被覆部５には、隣設する芯材部分Ａ１相互の一対の傾斜面１に密接すると共に、一対の傾斜面１に跨って接着される傾斜面被覆部６を形成し、この傾斜面被覆部６の中央部分にヒンジ部分６ａを形成したので、折畳み展開が簡単に行え、展開状態にあっては、広く平らな平面を内表面がわに設けることができるようになる。しかも、構成が簡素で、量産に適し、低廉で、取扱いが容易で、耐久性に優れ、多用途に利用可能となる折畳み展開自在なボード状構造物となる。
加えて、展開状態にあっては、大きな突出部分や凹部等が生じることがなく、広く平らな平面を内表面がわに設けられるようになり、手触りも良く、重ねた状態で保管する際に全体が嵩張ってしまうようなこともなく、ボード状構造物を小さく折畳め、その収納、保管、運搬等が容易となる。尚、折畳み状態（例えば、断面略コ字状に折曲げたとき）にあっては、内表面隅部を綺麗な直角コーナー部分とすることができるようになる。
【００５２】
特に、隣設する芯材部分Ａ１相互間には、所定の隙間を設け、芯材部分Ａ１夫々には、その外表面に於ける隣設縁の両脇部分に、隣設縁がわに行くに従って漸次その厚みが少なくなるように傾斜する一対の傾斜面１を形成し、外表面被覆部５には、隣設する芯材部分Ａ１相互の一対の傾斜面１に密接すると共に、一対の傾斜面１に跨って接着される傾斜面被覆部６を形成し、この傾斜面被覆部６の中央部分にヒンジ部分６ａを形成したので、ボード本体Ａに被覆シート材Ｂをより容易に、安定的に、且つ確実に接着できるようになる。
加えて、芯材部分Ａ１の隣設縁部分に於ける被覆シート材Ｂが、展開状態や折畳み状態の時に無理な折曲げ状態（例えば、二つ折り状態）とならず、損傷し難く、耐久性が向上し、長期使用に適したものとなる。
【００５３】
更に、被覆シート材Ｂは、ボード本体Ａの外表面に接着される外表面被覆部５を備えているので、被覆シート材Ｂによってボード状構造物の外表面がわの外観上の体裁が良くなる。
【００５４】
加えて、請求項６記載の折畳み展開自在なボード状構造物は、隣設する芯材部分Ａ１相互間の隙間に於いて、被覆シート材Ｂの厚みをＥとし、隣設する芯材部分Ａ１相互間の最小隙間をＸ１  としたとき、
【数８】
2004290251.tif 000008
の数式を満たすような最小隙間Ｘ１  を設け、隣設する芯材部分Ａ１相互間の隙間を最小隙間Ｘ１  以上に構成したので、芯材部分Ａ１の隣設縁部分（隣設する芯材部分Ａ１相互の隙間部分）に於ける被覆シート材Ｂに、適宜折畳み状態時の無理なストレスが生じ難くなり、耐久性の優れたボード状構造物を提供できるようになる。
【００５５】
また、請求項７記載の折畳み展開自在なボード状構造物は、ボード本体Ａの内表面に見返し材１０を接着するように形成し、隣設する芯材部分Ａ１相互間の隙間に於いて、被覆シート材Ｂの厚みをＥとし、見返し材１０の厚みをＦとし、芯材部分Ａ１の厚みをＧとし、隣設する芯材部分Ａ１相互間の最大隙間をＸ２  としたとき、
【数９】
2004290251.tif 000009
の数式を満たすような最大隙間Ｘ２  を設け、隣設する芯材部分Ａ１相互間の隙間を最大隙間Ｘ２  以下に構成したので、芯材部分Ａ１の隣設縁部分（隣設する芯材部分Ａ１相互の隙間部分）に於いて、これらの隙間部分が無駄に大きくならず、この隙間部分の被覆シート材Ｂが大きく変形し易くなったり、隙間部分の被覆シート材Ｂの変形により、ボード本体Ａ内表面がわに大きな凸部や凹部が現れて、広く平らな平面を内表面がわに設けることができなくなったりするのを防ぐことができるようになる。
【００５６】
更に、請求項８記載の折畳み展開自在なボード状構造物は、二枚の略矩形状の芯材部分Ａ１でボード本体Ａを構成し、内表面がわに自在に二つ折りできるよう構成したので、例えば、ボードゲーム等のボードとして最適なボード状構造物を提供できるようになる。
【００５７】
そして、請求項９記載の折畳み展開自在なボード状構造物は、二枚の略矩形状の芯材部分Ａ１と、この二枚の芯材部分Ａ１の間に介装される一枚の略細長矩形状の芯材部分Ａ１とでボード本体Ａを構成し、内表面がわに断面略コ字状に自在に折曲げできるよう構成したので、内表面隅部を綺麗な直角コーナー部分とすることもできるようになり、例えば、ファイルの外装板等として最適なボード状構造物を提供できるようになる。
【００５８】
それから、請求項１０記載の折畳み展開自在なボード状構造物は、芯材部分Ａ１に適宜取付具を着脱自在に装着できるよう構成したので、適宜取付具を利用して、その用途に応じた関連物品をボード状構造物自体に付設することが簡単に行えるようになる。しかも、適宜取付具を取外すことで、本来のボード状構造物の用途に応じた使用が可能となる。
【図面の簡単な説明】
【図１】本発明のボード状構造物を例示する概略分解側面図である。
【図２】本発明のボード状構造物を例示する斜視図である。
【図３】本発明のボード状構造物を例示する一部省略側断面図である。
【図４】本発明の他のボード状構造物を例示する部分側断面図で、（イ）は展開状態を示し、（ロ）は折畳み状態を示すものである。
【図５】本発明の他のボード状構造物を例示する部分側断面図である。
【図６】本発明の他のボード状構造物を例示する部分側断面図である。
【図７】本発明の他のボード状構造物を例示する部分側断面図である。
【図８】本発明のボード状構造物の被覆シート材を例示する展開図である。
【図９】被覆シート材の隅部形状及びこの被覆シート材をボード本体に接着した状態を例示する部分平面図である。
【図１０】他の実施例に於ける被覆シート材の隅部形状及びこの被覆シート材をボード本体に接着した状態を示す部分平面図である。
【図１１】他の実施例に於ける被覆シート材の隅部形状及びこの被覆シート材をボード本体に接着した状態を示す部分平面図である。
【図１２】他の実施例に於ける被覆シート材の隅部形状及びこの被覆シート材をボード本体に接着した状態を示す部分平面図である。
【図１３】他の実施例に於ける被覆シート材の隅部形状及びこの被覆シート材をボード本体に接着した状態を示す部分平面図である。
【図１４】他の実施例に於ける被覆シート材の隅部形状及びこの被覆シート材をボード本体に接着した状態を示す部分平面図である。
【図１５】他の実施例に於ける被覆シート材の隅部形状及びこの被覆シート材をボード本体に接着した状態を示す部分平面図である。
【図１６】被覆シート材の折畳展開部分の形状及びこの被覆シート材をボード本体に接着した状態を例示する部分平面図である。
【図１７】他の実施例に於ける被覆シート材の折畳展開部分の形状及びこの被覆シート材をボード本体に接着した状態を示す部分平面図である。
【図１８】本発明の他のボード状構造物を例示するもので、（イ）は展開状態の部分側断面図を示し、（ロ）は断面略コ字状の折畳み状態の部分側断面図を示すものである。
【図１９】本発明の他のボード状構造物を例示する展開状態に於ける部分側断面図である。
【符号の説明】
Ａ      ボード本体                    Ａ１    芯材部分
１      傾斜面                        ２      連設部
Ｂ      被覆シート材
５      外表面被覆部                  ６      傾斜面被覆部
６ａ    ヒンジ部分
７      側周面被覆部                  ８      内表面被覆部
１０    見返し材
【図１】
2004290251.tif 000012
【図２】
2004290251.tif 000013
【図３】
2004290251.tif 000014
【図４】
2004290251.tif 000015
【図５】
2004290251.tif 000016
【図６】
2004290251.tif 000017
【図７】
2004290251.tif 000018
【図８】
2004290251.tif 000019
【図９】
2004290251.tif 000020
【図１０】
2004290251.tif 000021
【図１１】
2004290251.tif 000022
【図１２】
2004290251.tif 000023
【図１３】
2004290251.tif 000024
【図１４】
2004290251.tif 000025
【図１５】
2004290251.tif 000026
【図１６】
2004290251.tif 000027
【図１７】
2004290251.tif 000028
【図１８】
2004290251.tif 000029
【図１９】
2004290251.tif 000030